(57)【特許請求の範囲】
【請求項１】
基材上に潜像を有する印刷部を設けてなる印刷物において、
潜像を有する印刷部が、万線により構成される複数の背景画素と万線により構成される複数の潜像画素からなり、
背景画素を形成する万線の方向と潜像画素を形成する万線の方向が同じであり、
背景画素を形成する万線のピッチと潜像画素を形成する万線のピッチがずれて形成されてなり、
背景画素を形成する万線の線幅と潜像画素を形成する万線の線幅が略同一であり、
かつ該背景画素及び潜像画素の万線方向が同じである画素と画素との間に、非連続部を有することを特徴とする印刷物。
【請求項２】
前記複数の背景画素が、それぞれ万線の方向が異なる複数種の背景画素を有し、
前記複数の潜像画素が、それぞれ万線の方向が異なる複数種の潜像画素を有し、
背景画素及び潜像画素の万線方向が同じである画素と画素との間に、非連続部を有することを特徴とする請求項１に記載の印刷物。
【請求項３】
前記背景画素及び潜像画素の大きさが０．０１〜１ｍｍ２の範囲内であることを特徴とする請求項１または２に記載の印刷物。
【請求項４】
前記非連続部が、画素と画素の間隔が０．０３〜０．３ｍｍの範囲内であることを有することを特徴とする請求項１〜３のいずれかに記載の印刷物。
【請求項５】
前記画素が四角形状であることを特徴とする請求項１〜４のいずれかに記載の印刷物。
【請求項６】
前記非連続部が、空白部を有することを特徴とする請求項１〜５のいずれかに記載の印刷物。
【請求項７】
前記非連続部が、地紋を有することを特徴とする請求項１〜６のいずれかに記載の印刷物。
【請求項８】
前記複数の背景画素又は複数の潜像画素が、大きさの異なる画素を有することを特徴とする請求項２〜７のいずれかに記載の印刷物。
【発明の詳細な説明】
【技術分野】
【０００１】
本発明は、万線フィルター等の顕像具を用いて顕像化が可能な潜像を有する印刷物に関する。
【背景技術】
【０００２】
従来、万線で形成される背景と、一部にピッチのずれた万線からなる潜像を印刷した印刷物が知られている（特許文献１等）。これは、目視では潜像が不可能であるが万線フィルターを用いた時に潜像部分が顕像化が可能なため、セキュリティデバイスとして用いられている。
これは、背景と潜像のピッチがずれているため、万線フィルターを重ねた時に、背景部の万線と万線フィルタが重なり、ずれた潜像部が太って強調されて見える、また潜像部の万線と万線フィルタが重なり、ずれた部分が白抜きとして潜像が認識される、また潜像部と万線フィルタのモアレ現象により潜像が認識される、などにより潜像を確認できる技術である。
また、万線として方向の異なる複数の万線を用いることで複数種の潜像を設ける技術についても知られている（特許文献１等）
【先行技術文献】
【特許文献】
【０００３】
【特許文献１】特開２００１−２１３０４２
【発明の概要】
【発明が解決しようとする課題】
【０００４】
しかし、従来の万線潜像では、例えば図９に示すように背景部と潜像部が連続しているため、慣れた人や、ルーペなどで注意深く見ると、万線のピッチのずれた部分を認識でき、潜像と背景の境界を確認されることがある。そのため、潜像の有無が確認され、また状況によっては潜像の内容まで判る場合もある。
そのため、目視では潜像の有無または潜像の内容が確認できないような万線潜像印刷物とすることを課題とする。
【課題を解決するための手段】
【０００５】
本発明は、基材上に印刷部を設けてなる印刷物において、印刷部が、万線状の背景画素と万線状の潜像画素からなり、背景画素を形成する万線の方向と潜像画素を形成する万線の方向が同じであり、背景画素を形成する万線のピッチと潜像画素を形成する万線のピッチがずれて形成されてなり、かつ万線の方向が同じである背景画素又は潜像画素と背景画素又は潜像画素とが連続していない非連続部を有することを特徴とする印刷物とする。
【０００６】
また、前記背景画素が、万線の方向が異なる複数の背景画素を有し、前記潜像画素が、万線の方向が異なる複数の潜像画素を有し、万線の方向が同じである背景画素又は潜像画素と背景画素又は潜像画素とが連続していない非連続部を有することを特徴とする。
【０００７】
また、前記背景画素及び潜像画素の大きさが０．０１〜１ｍｍ２の範囲内であることを特徴とする。
【０００８】
また、前記非連続部が０．０３〜０．３ｍｍの範囲内であることを有することを特徴とする。
【０００９】
また、前記画素が四角形状であることを特徴とする。
【００１０】
また、前記非連続部が、空白部を有することを特徴とする。
【００１１】
また、前記非連続部が、地紋を有することを特徴とする。
【００１２】
また、前記非連続部が、万線の方向が異なる背景画素又は万線の方向が異なる潜像画素を有することを特徴とする。
【発明の効果】
【００１３】
本発明によれば、目視では潜像の有無または潜像の内容が確認できないような万線潜像印刷物とすることができる。
【図面の簡単な説明】
【００１４】
【図１】本発明に係る印刷物の一例を示す概略図である。
【図２】本発明に係る印刷物の一例を示す断面概略図である。
【図３】本発明に係る顕像具の一例を示す概略図である。
【図４】本発明に係る印刷物の構成の一例を示す説明図である。
【図５】本発明に係る印刷物の構成の一例を示す説明図である。
【図６】本発明に係る印刷物の一例を示す概略図である。
【図７】本発明に係る印刷物の構成の一例を示す説明図である。
【図８】本発明に係る印刷物の構成の一例を示す説明図である。
【図９】従来の印刷物の一例を示す概略図である。
【発明を実施するための形態】
【００１５】
以下、本発明を詳細に説明する。
図１は本発明に係る印刷物の一例を示す概略図である。そして図２は本発明に係る印刷物の一例を示す断面概略図である。図４、図５は本発明に係る印刷物の背景画素、潜像画素の一例を示す説明図である。
本発明の印刷物１は、基材２と基材２に設けられた印刷部３により構成される。
印刷部３は、背景画素４と潜像画素６を有し、背景画素４と潜像画素６はそれぞれ、一定のピッチで線を形成してなるいわゆる万線により構成される。
【００１６】
背景画素４を構成する万線５と潜像画素６を構成する万線７は、同一の方向、同一のピッチで形成され、ピッチをずらして形成される。万線５と万線７の角度は±１°未満、好ましくは０．１°未満、さらに好ましくは０．０１°未満である。万線５と万線７のピッチは、顕像具を用いて潜像を顕像化できるようにずれていれば特に限定するものではないが、典型的には半ピッチずらしてなる。
なお、万線５の線幅と万線７の線幅も略同一であることが好ましい。具体的には、万線５、万線７の線幅は０．０１〜１ｍｍ程度で構成され、万線５の線幅に対する万線７の線幅は９５〜１００％の範囲内、好ましくは９９〜１０１％の範囲内、さらには９９．９〜１００．１％の範囲内であることが好ましい。
万線６のピッチは０．０１〜２ｍｍ程度で構成される。
【００１７】
本発明では、万線で構成される背景と潜像が画素として形成され、さらに背景画素４と潜像画素６が連続していない非連続部８を有することを特徴とする。非連続部があるため、背景の万線と潜像の万線の境界が認識しづらくなり、結果潜像の有無を確認し難くすることができる。
【００１８】
背景画素、潜像画素の大きさは０．０１〜５ｍｍ２の範囲内であることが好ましい。これ以下であると小さすぎて万線が中に入らない。また、これ以上であると潜像模様の画素が粗すぎて使いづらい。
画素の形状は四角形状、多角形状、丸形状など何でも良い。中でも四角形状、三角形状、六角形状であると隙間が均等になるため好ましい。さらに四角形状であると、中に万線を入れやすくて好ましい。四角形状である場合、一辺が０．２〜２ｍｍの範囲内であることが好ましい。
【００１９】
また、潜像画素、背景画素は複数種設けることが出来る。具体的には、万線の方向（角度）が異なる複数種の背景画素と、万線の方向が異なる複数種の潜像画素を用いることができる。
この場合、万線の方向が同じである背景画素と潜像画素が連続していない非連続部を有する。
【００２０】
非連続部８としては、基材が露出した空白部を用いることができる。また、予め基材に地紋を設け、地紋が露出した部分を非連続部として用いてもよい。さらに、位置合わせを行い、背景画素、潜像画素が形成されていない部分のみ地紋を設けてもよい。
また、万線の方向（確度）が異なる複数種の潜像画素、背景画素を有する場合、万線の方向が同じである背景画素と潜像画素が連続していなければよいため、万線の方向が同じである背景画素と潜像画素の間に万線方向が異なる背景画素又は潜像画素を設けることが出来る。
非連続部が空白部又は地紋である場合は、非連続部すなわち画素と画素の間隔が０．０３〜０．３ｍｍの範囲内であることが好ましい。この範囲であれば、隣り合う背景画素と潜像画素の万線のピッチがずれていても目視状態で認識する事が困難である。
なお、背景画素と潜像画素の間に万線の方向が異なる画素を設ける場合は隙間なく設けてもよい。
【００２１】
潜像画素、背景画素は複数種設けた場合の例として、図５のような構成をあげることができる。図５において、印刷部は、ある方向の万線から構成される背景画素４ａと潜像画素６ａと、背景画素４ａと潜像画素６ａとは万線方向の異なる背景画素４ｂと潜像画素６ｂを有する。
これらの画素は、背景画素４ａ又は潜像画素６ａと背景画素４ｂ又は潜像画素６ｂからなる画素群１０として構成され、各画素群と画素群の間は非連続部として空白部または地紋を有する。画素群の中の画素は万線方向が異なる画素が隣あうことになる。
従って、ある方向の万線から構成される画素は、横方向において万線方向が同じ方向の画素は、間に万線方向の異なる画素と空白部または地紋を挟むことになる。
画素群は万線方向の異なる任意の数の画素で構成することが出来る。
【００２２】
また、背景画素、潜像画素の大きさはランダムに変えることが出来る。例えば、ある画素を基準として、他の画素をランダムに７０％〜１３０％程度、好ましくは９０％〜１３０％程度の範囲内で変えることが出来る。このようにすることでより目視で潜像を分かりにくくすることが出来る。
例えば図７では、大きい画素１２の中に小さい画素をランダムに散りばめた構成を例示している。
【００２３】
また、本発明では、１の画素の中に方向の異なる複数の万線を設けることができる。例えば図８では、１つの画素中に万線方向が９０°異なる２種の万線を有する。このようにすることで、方向の異なる万線毎に別の画素をもちいるより、細かく解像度の高い潜像を設けることが出来る。しかし、反面見難くなる部分もあるため、線幅、ピッチ等に応じて１の画素に方向の異なる複数の万線を設けるか、方向の異なる万線毎に別の画素を用いるかを選択することができる。
【００２４】
本発明に用いる基材２としては、主に紙基材を用いることができ、例えば、上質紙、普通紙などを用いることができる。また樹脂系材料などを用いてもよい。
【００２５】
背景画素と潜像画素を含む印刷部３はインキを用いて印刷法により形成される。
印刷に用いるインキとしては通常の有色インキを用いることができる。なお、基材２の地色とは異なる色のインキを用いる。
印刷方法としてはオフセット、グラビア、スクリーン、凹版印刷などを用いることができる。
【００２６】
本発明の印刷物は、顕像具を用いて潜像を顕像化することにより、目視では確認できない潜像を確認することができる。
顕像具としては、背景画素、潜像画素と線幅、ピッチ、万線方向の同じ万線からなるものを用いることができる。複数種の画素を有する場合は、１つの画素のと線幅、ピッチ、万線方向の同じ万線からなる顕像具を用いて、角度回すことによりそれぞれの潜像画素を顕像化させて潜像の確認することができる。
【実施例】
【００２７】
＜実施例１＞
基材として上質紙を用い、黒色のオフセットインキを用いて、オフセット印刷法により、万線からなる背景画素と潜像画素を印刷した。画素の大きさは、０．５ｍｍ×０．５ｍｍの四角形状で、画素と画素の間には非連続部として０．１ｍｍの空白部を有するように形成した。万線の線幅は背景画素潜像画素共に０．１ｍｍで、ピッチを０．２ｍｍとし、背景画素と潜像画素は半ピッチずらした。
なお、図柄は図４のようにし、画素を縦６行、横５列で形成した。そして中の６つの画素をＴの形状となるような潜像画素とした。
得られた印刷物を、目視でルーペを用いて観察したところ、潜像の有無は確認できなかったが、線幅０．１ｍｍ、ピッチ０．２ｍｍの万線フィルターを重ねて観察したところ、潜像であるＴの文字が確認できた。
【００２８】
＜実施例２＞
基材として上質紙を用い、黒色のオフセットインキを用いて、オフセット印刷法により、万線からなる背景画素と潜像画素を印刷した。画素の大きさは、０．５ｍｍ×０．５ｍｍの四角形状で、万線の方向の異なる画素（方向１と方向２）を２つセットにした画素群として、画素群と画素群の間には非連続部として０．１ｍｍの空白部を有するように形成した。
万線の線幅は背景画素潜像画素共に０．１ｍｍ、ピッチ０．２ｍｍとし、背景画素と潜像画素は半ピッチずらした。
なお、図柄は図５のようにし、方向の異なる画素を２つセットで縦６行、横５列で形成した。そして中の画素のうち、方向１の６つの画素をＴの形状となるような潜像画素とし、
方向２の１１の画素をＥの形状となるような潜像画素とした。
得られた印刷物を、目視でルーペを用いて観察したところ、潜像の有無は確認できなかったが、線幅０．１ｍｍ、ピッチ０．２ｍｍで方向１と同じ方向の万線フィルターを重ねて観察したところ、潜像であるＴの文字が確認できた。また、この万線フィルターを方向２に合うように回転させて観察したところ、潜像であるＥの文字が確認できた。
【００２９】
＜比較例１＞
基材として上質紙を用い、黒色のオフセットインキを用いて、オフセット印刷法により、万線からなる背景と潜像を印刷した。万線の線幅は背景画素潜像画素共に０．１ｍｍで、ピッチを０．２ｍｍとし、背景画素と潜像画素は半ピッチずらした。
なお、図柄は図９のようにし、全体のサイズを２．５ｍｍ×３ｍｍとして、Ｔの形状となるような潜像を設けた。なお潜像のフォントサイズ１．５ｍｍ×２ｍｍとした。
得られた印刷物を、目視でルーペを用いて観察したところ、背景と潜像の境界を確認でき、潜像があることが確認された。
【符号の説明】
【００３０】
１・・・・印刷物
２・・・・基材
３・・・・印刷部
４・・・・背景画素
４ａ・・・背景画素
４ｂ・・・背景画素
５・・・・背景画素を構成する万線
６・・・・潜像画素
６ａ・・・潜像画素
６ｂ・・・潜像画素
７・・・・潜像画素を構成する万線
８・・・・非連続部
９・・・・地紋
１０・・・画素群
１１・・・顕像具
１２・・・画素（大）
１３・・・画素（小）
【図８】
0006011025.tif 000002
【図１】
0006011025.tif 000003
【図２】
0006011025.tif 000004
【図３】
0006011025.tif 000005
【図４】
0006011025.tif 000006
【図５】
0006011025.tif 000007
【図６】
0006011025.tif 000008
【図７】
0006011025.tif 000009
【図９】
0006011025.tif 000010